(57)【要約】【課題】  駅構内や大型商業施設などで、その一部の内装工事を行なう為に周囲を囲う仮囲い用間仕切りパネルの提供。【解決手段】  仮囲いを複数枚のパネル１，１・・・をスタッド２，２・・・を介して配列して構成する間仕切り装置のパネル１において、該パネル１はペーパーコアや石こうボード等を基材として少なくとも片面に金属製の表面材を貼着し、そして該表面材の上にシート状の表層材を剥離することが出来るように貼着している。【選択図】    図１
2012057437.tif 000002
【特許請求の範囲】
【請求項１】
駅構内や大型商業施設などで、その一部の内装工事を行なう為に周囲を囲う仮囲いであって、該仮囲いを複数枚のパネルをスタッドを介して配列して構成する間仕切り装置のパネルにおいて、該パネルはペーパーコアや石こうボード等を基材として少なくとも片面に表面材を貼着し、そして該表面材の上にシート状の表層材を剥離することが出来るように貼着したことを特徴とする仮囲い用の間仕切りパネル。
【請求項２】
上記表層材に模様や図形を形成した請求項１記載の仮囲い用の間仕切りパネル。
【請求項３】
上記表層材に宣伝・広告用の店名や商標を形成した請求項１記載の仮囲い用の間仕切りパネル。
【発明の詳細な説明】
【技術分野】
【０００１】
本発明は駅構内、デパート、大型商業施設などの一部を内装工事する場合に、周囲を囲うことが出来る間仕切り装置のパネルに関するものである。
【背景技術】
【０００２】
現在、駅構内や大型商業施設などにおいて、集客能力を維持する為に又は向上する為に店舗の内装工事を行うことが多く、この場合、工事する領域と客が行き来する通路となる外部を遮断する為の仮囲いが設けられている。この仮囲いとしては、一般にＬＧＳと称される軽量鉄骨を下地として立設し、これにベニヤ板や石こうボード、又は鉄板やクロスなどを貼り付けて遮断壁面を構成している。
【０００３】
従って、仮囲いとなる遮断壁面を構成する資材設備や、工事完了後の資材撤去に多大な費用と時間がかかっており、ひいては工事全体のコスト高を招いているといった問題がある。また、仮囲いとして使用した資材を撤去した後は、そのまま産業廃棄物となってしまうことが多く、廃棄物の増大を招くことで省資源に反すと共に環境保全にも反し、勿論、処理コストも高くなる。
【０００４】
そして、上記のような資材を用いた仮囲いを設置して内装工事を行なっている駅構内や大型商業施設などにおいては、いかにも工事中であるといった雰囲気となってしまい、周辺店舗や施設内のイメージが損なわれてしまうといった問題点も残されている。こうした状況は、近辺を通行する人々にとって、駅周辺若しくは大型商業施設の活気が停滞しているといった印象を与えてしまう。
【０００５】
特開２００１−４９８７０号に係る「仮囲い装置」は、ビル等の建物内に形成された複数の店舗のうち、１つの店舗を改装する際に、その店舗の周囲を囲う仮囲い装置である。すなわち、間隔をおいて配置された複数本の伸縮自在な支柱のうち、隣接するもの間の先端部間に横桟部を着脱自在に設け、これら横桟部に上端部が配置されるシートを係止するように横桟部にシート係止部を設けている。
この仮囲い装置は一般の人でも簡単にしかも短時間で設置することは出来るが、人通りの多い駅構内やデパートなどに設置するならば、他の場所とのバランスが崩れて違和感がある。
【０００６】
特許第３５５９７７５号に係る「仮囲い」は、ビル内の店舗等の改装工事において用いられる仮囲いである。
パネルを第１のパネルと第２パネルにより構成し、第１パネル板面に、その一面側に突出し、他面側に凹状となるような上下方向係合溝を設けると共に、上記第２のパネルにおける第１のパネルに対向する一面に、第１のパネルの係合溝に上下方向には摺動可能でかつパネル面に直交する方向には抜け止めされた状態で係合し得る係合凸部を設け、第２のパネルの係合凸部を第１のパネルの係合溝に係合して両パネルを連結した状態において、第１又は第２のパネルに対して他方のパネルを上下方向に摺動可能に構成している。
【０００７】
しかし、第１のパネルと第２のパネルが上下方向に摺動可能に構成しているが、表面には係合凸部が突出し、その外観はあくまでも工事用の仮囲いであるといった外観を呈している。
【特許文献１】特開２００１−４９８７０号に係る「仮囲い装置」
【特許文献２】特許第３５５９７７５号に係る「仮囲い」
【発明の開示】
【発明が解決しようとする課題】
【０００８】
このように、工事現場が外から見えないようにカバーする仮囲いには上記のごとき問題がある。本発明が解決しようとする課題はこれら問題点であり、仮囲いに対するコストを抑えることで工事全体のコスト低減を図り、仮囲い撤去後の廃棄物を抑制して再利用可能にすると共に、工事現場の囲いが殺風景な雰囲気にならない工事用の仮囲い間仕切りパネルを提供する。
【課題を解決するための手段】
【０００９】
本発明に係る仮囲い用の間仕切りパネルは、ハニカムコアや不燃ボードなどを基材としたパネルであり、該基材の少なくとも片面に表面材を貼着している。この構成は従来の一般的な間仕切りパネルと同じであるが、本発明は該表面材の上に剥離可能な表層材を貼着している。該表層材はポリエステル樹脂系の薄いフイルム状のシートであり、仮囲い用の間仕切りパネルの保護シートとして機能する。すなわち、本発明の工事用仮囲い間仕切りパネルは、建物内部の空間を仕切る為に用いられる間仕切り装置のパネルを利用し、これに剥離可能な表層材を貼着して構成している。
【００１０】
上記表層材は、内装工事の仮囲いとして使用する間、工事中に発生する埃の付着、及び不用意に内装部材や工具をパネルにぶつけて発生するキズなどから間仕切りパネルを保護することが出来る。そして、内装工事終了後、間仕切り装置を解体し、回収したパネルの表層材を剥離し、再度新たな表層材を貼り替えることで新たなパネルとなる。また、表層材には、必要に応じて転写などの印刷模様を施し、単色のみならず、華やかな柄や模様を描くことも可能である。勿論、広告・宣伝用の店名や商標を表記した表層材を貼り付けることもある。
【発明の効果】
【００１１】
本発明に係る仮囲いの間仕切り装置のパネルは、ハニカムコアや不燃ボードなどを基材とし、その表面には表面材を貼着し、さらに該表面材の上には表層材を剥離可能な状態で貼着している。従って、内装工事が完了した場合、仮囲いの間仕切り装置を解体し、回収したパネルの表層材を剥離し、再度新たな表層材を貼着して再利用することが出来る。従って、新品の間仕切りパネルとして何度も使われ、表層材が廃棄されるのみでパネルの廃棄はされない。
【００１２】
また、表層材には転写などの印刷模様を施すことで、柄や模様等のカラフルなデザインに仕上げることが出来、駅の構内や大型商業施設内での工事の囲いとして使用する場合に違和感を与えることがない。一方、広告、宣伝機能をもつ仮囲いとして表層材を製作することで、店舗内装工事中であっても通行人の目に留まり、しかも雰囲気やイメージを損なうことはなく、周辺施設などの雰囲気が活気溢れるものとなる。
【図面の簡単な説明】
【００１３】
【図１】本発明に係る仮囲い用間仕切り装置の全体図。
【図２】仮囲い用間仕切り装置の縦断面図。
【図３】仮囲い用間仕切り装置の横断面図。
【図４】正面壁に装着した引戸部分の縦断面図。
【図５】正面壁に装着した引戸部分の横断面図。
【図６】パネル断面の具体例。
【図７】パネル表面層の部分拡大図。
【図８】店名を表示した表層材の具体例。
【発明を実施するための形態】
【００１４】
図１は工事用の仮囲いとなる間仕切り装置の全体図を表し、同図の１はパネル、２はスタッド、３はコーナーカバー、４は引戸をそれぞれ示している。この間仕切り装置は壁面５の正面に設置され、この仕切られた内部領域で内装工事が行なわれる。この間仕切り装置としての基本構造は建物の大きな空間をオフィスとして使用する場合の間仕切りと共通している。
【００１５】
各パネル１，１・・・はスタッド２，２・・・を介して連結し、壁面５との間に空間を形成している。壁面５から垂直方向へ延びるパネル１，１・・・を配列して互いに平行な側壁６，６を構成し、該側壁６，６の先端を複数枚のパネル１，１・・・を配列した正面壁７にて繋いでいる。そして、側壁６と正面壁７とのコーナーにはコーナーカバー３，３が起立している。
【００１６】
正面壁７には引戸４が取付けられ、側壁６，６と正面壁７とで囲われた内部空間を出入りすることが出来る。同図に示す本実施の形態では、互いに平行な側壁６，６を構成しているが、角度カバーを使用して両側壁６，６を斜めに傾斜して構成する場合、又は一方の側壁６のみを斜めに傾斜した構造とする場合もある。ところで、仮囲いとなるパネル１は従来の間仕切りパネルとその基本構造は共通し、その外観が駅構内や大型商業施設内でのショッピングゾーンの雰囲気やイメージを損なうことはない。すなわち、従来の仮囲いのように、横桟部にシートを係止して吊設したものや、伸縮可能な第１のパネルと第２のパネルを配置したものとは違い、その外観は工事中であるといったイメージを与えない。
【００１７】
図２、図３は上記図１の縦断面拡大図と横断面拡大図を示している。パネル１は床レール８に配置されたアジャスター９に支えられた巾木１０の上に載り、上端は天井１１に取付けた天井レール１２に嵌って位置決めされている。そして、隣り合うパネル１，１の間には垂直に起立するスタッド２が介在して互いに連結されている。
【００１８】
ここで、該間仕切り装置はあくまでも一時的な工事用の仮囲いであり、その為に床レール８は床面１３に両面テープ１７を介して固定される。天井レール１２は天井１１にネジ１８にて取付けられているが、内装工事が完了した後は天井面を補修する。従って、間仕切り装置を撤去する際には天井１１及び床面１３にキズが残ることはない。前記図２に示した本発明の実施例形態では、上端を天井まで延ばして固定した構造としているが、背丈の高いつい立やローパーティションのように天井まで届かない間仕切り構造とする場合もある。
【００１９】
図４、図５は上記正面壁７に設けた引戸４の縦断面図と横断面図を示している。引戸４は２枚の引き違い戸４ａ，４ｂを有し、両スタッド２，２間に嵌められた門形枠体に装着される。そして、門形枠体の上桟１９の下面に形成したガイドレール２０に引戸上端のガイド２１，２１が遊嵌すると共に、床面１３に敷設した下レール２２に沿って戸車２３，２３が転動することで開閉することが出来る。
【００２０】
図６は本発明に係る間仕切りパネル１の具体例であり、基材と成るペーパーコア１４の両面には表面材１５，１５が貼着され、該表面材１５，１５の両側端は垂直に折れ曲がっている。同図の間仕切りパネル１はペーパーコア１４の両面に表面材１５，１５を貼り付けた構造と成っているが、片面にのみ表面材１５を貼着したパネル１とする場合、又は石こうボード等の不燃ボードの片面に表面材１５を貼着したパネル１とする場合もある。
【００２１】
図７はパネル１の表面層の断面拡大図を示している。基材であるペーパーコア１４に表面材１５が貼着され、そして該表面材１５の上には表層材１６を貼着している。該表層材１６の具体的な材質は特に限定はしないが、例えばポリエステル樹脂の薄いシートであり、この表層材１６は強固に固着されることなく剥がすことが出来るように貼着されている。
【００２２】
すなわち、本発明の仮囲い用の間仕切りパネル１はあくまでも工事期間中の一時的な仮囲いであるが、駅の構内、デパートなどで人の出入りの多い場所での工事となる。その為に、周りの雰囲気を阻害することがないような仮囲い用のパネル１としなくてはならない。その為に、該パネル１はオフィス用の外観とは異なり、表面にはカラフルな模様、図形、又は宣伝・広告となる店名や商標が表記される。
【００２３】
特に、内装工事のために一時的に商売が出来ない訳であるが、この期間を無駄にしないためにも仮囲いとなるパネル表面に宣伝・広告が表示される。例えば、ラーメン店の店舗改装であるならば、「・・・ラーメン」なる表示を、通行人の目に留まるようにパネル面に大きく表記すると効果がある。又は、婦人服店の店舗改装であるならば、販売される被服のブランド名をパネル面に大きく表示する。
【００２４】
一方、宣伝・広告表示の他に、隣りの店舗及び周りの店舗との調和が取れるパネルデザインとすることも出来る。図８は表層材１６に「・・・ラーメン」なる文字を印刷したシートである。この表層材１６をパネル表面に貼着するならば、通路に面して複数枚の各パネル１，１・・・に該表層材１６が貼着されて、その為に通行人の目に留まる。
【００２５】
従って、店舗改装が完了して開店すると同時に、目に留まって記憶に残っている客が足を運ぶことになり、工事期間中の宣伝・効果を得ることが出来る。そして、この表層材１６は接着剤で完全固着されることなく、剥がすことが出来るようにしている。剥がすことが出来る接着剤に関しては従来から周知であり、ここで改めて説明することは省略する。
【００２６】
すなわち、本発明はパネル１の再利用を目的の１つとしている訳で、パネル表面に貼着される表層材１６を剥がし、別の表層材１６が貼着される。内装工事が完了したならば仮囲いである間仕切り装置は解体され、パネル１は取外される。そして貼着されている表層材１６は剥がされ、他の店舗改装等の仮囲い用間仕切りパネル１として用いられる。その為に、表層材１６はその店舗内装工事に適したデザインが施され、又は該店舗の宣伝・広告表示が印刷される。
【符号の説明】
【００２７】
１  パネル
２  スタッド
３  コーナーカバー
４  引戸
５  壁面
６  側壁
７  正面壁
８  床レール
９  アジャスター
10  巾木
11  天井
12  天井レール
13  床面
14  ペーパーコア
15  表面材
16  表層材
17  両面テープ
18  ネジ
19  上桟
20  ガイドレール
21  ガイド
22  下レール
23  戸車
【図１】
2012057437.tif 000003
【図２】
2012057437.tif 000004
【図３】
2012057437.tif 000005
【図４】
2012057437.tif 000006
【図５】
2012057437.tif 000007
【図６】
2012057437.tif 000008
【図７】
2012057437.tif 000009
【図８】
2012057437.tif 000010